(57)【要約】【課題】ピンとソケットを用いた電線用コネクタに於いて、使用電流が大きい場合でもロスが少なく、長期にわたり信頼性を維持できるソケット構造が求められていた。【解決手段】ソケット通電部が内側筒と外側筒とから成り、内側筒をバネ性のある金属板で作る、金属板には、複数のコの字型の切り目を設け、その切り目の内側を曲げて板面から斜めに立ち上げ、ウロコ状にする。ウロコ状を外に向けて筒状に加工して内側筒とし、通電性の良い材料で作った外側筒に挿入する。実使用に便利のため、必要に応じ、内側筒から延長して軸方向に延びた舌状の細長い部分を設けることもある。また、絶縁体で被覆することもある。【効果】ウロコ状の切片が内側筒と外側筒を弾性的に繋ぎ、これを通り短い経路で導電性の高い外側筒に電流が伝わる為、通電ロスを小さくできる。【選択図】　　図２
2004146196.tif 000002
【特許請求の範囲】
【請求項１】
電線接続のために使われる先端棒状のピンとそれを挿入する筒状のソケットによって構成される、いわゆるプラグインコネクタの、特にソケットの通電部が、金属薄板で作られた内側筒および通電性の良い材料を使った外側筒とで構成され、該内側筒はバネ性の金属薄板に、コの字状またはそれに近い形状の複数の切り目を設け、その切り目部分を曲げて板面から斜めに立ち上げてウロコ状と成し、このウロコ状部分を外に向けて筒状に加工したもの、或いはそれと同等の形態のものを外側筒内にに挿入したもので、使用の際ピンを挿入した状態でそのウロコ状部分が外側筒内壁に圧接するようにしたことを特徴とするソケットの通電部を含む製品または部品。
【請求項２】
請求項１に於いて、内側筒の胴の一部を延長して筒の軸方向に延びた舌状の細長い部分を設け、内側筒と共に外側筒に納まるよう挿入され、外側筒には塑性変形仕易い良導電性材を用いたことを特徴とするソケットの通電部を含む製品または部品。
【請求項３】
請求項１から請求項２の通電部材の、嵌合部を除いた部分を電気絶縁材料で覆ったことを特徴とする製品または部品。
【発明の詳細な説明】
【０００１】
【産業上の利用分野】
この発明は改良されたソケット構造を有す電気接続用コネクタに関する。
【０００２】
【従来の技術】
従来技術としてコネクタに関するものは極めて多いが、金属製の板バネを利用した把持構造を持ったソケットに棒状のピンを圧入するいわゆるプラグイン接続のものが広く使われている。ソケットに金属板バネ２４を使い、平型のプラグ２８を使った構造のものとして、図７のようなタイプのものがあり、実公昭５５−２２６８９など多くの応用例がある。図８のように湾曲した板バネ２４でピン２２を抑えるタイプのものは例えば、実公平２−１８２２や特２８３８１７３などがある。電子機器に使われる多ピン式コネクタもこの形式のものが多い。また、通電量が多い場合には電気を通すための充分な接触面積を確保するためにピン２２と筒状のソケット２１を組み合わせた形式のものがあり、ごく一般的な形状を図６に示す。このタイプでは、応用改良した例が実公昭５６−５２５３や実公昭６０−５５１６に紹介されている。この形式のソケットは接触面積を多く取ることができるが、バネ性を重視すると薄く作る必要があるため、電気を通すための充分な断面積を確保するのが難しい。断面積を確保するために板厚を大きく取ると、剛性が高くなってバネの特性が使えず適切な使用が出来なくなる。例えば図６の形状のソケットを想定、φ３のプラグを用いて８ｓｑ．の電線に適用した場合、リン青銅では厚さ０．３ｍｍ迄が適当であって、それ以上では硬過ぎてバネとしての働きが強すぎ、且つ当発明に用いるウロコ状のような加工が困難である。
しかし、厚さ０．３ｍｍでは通電のための断面積が２ミリ平方メートル余しか
なく、材料の導電率の違いを考慮する迄もなく容量が不足している。尚、適切な板厚は、使われる部品の大きさによって決まるので一定の厚さに限られるものではない。また、この端末と電線との接続には圧着加工する場合、金属板の厚さが薄く且つ材質が硬いために、電線端末との安定した接触が得難い問題がある。圧着加工は作業性が良く、熱にも強いが、信頼性を確保するためには厚肉の純銅を使い塑性変形する性質を使って圧着する圧着端子のような固定方法が好ましい。
【０００３】
金属板の厚さの問題を補うため、バネ弾性を持つ金属板を巻いた筒（内側筒２６ということにする）を厚肉の金属材料で作った筒（外側筒２７ということにする）の内に嵌め、内側筒から内側に出した接触子２５から外側筒に電気を渡すことで、通電距離を短くして電力ロスを減らす方法が実公昭５８−２７４９３および実公昭５９−４３６５２に紹介されている。しかし、この案では内側故狭く、接触面積の取り難いピンとの接触点を更に狭めて居り、電気抵抗を減らす効果が少ないうえ、圧接力を得るため外側筒を更にバネ材で締めつける構造を取っており複雑で実際的でない。或いは、図９に示す特許番号２８７６１４６に紹介されているものは複雑ではないが、内側筒２５と外側筒２７の接触を確実にする手段を持たず、或いは、これを意識して強く接触させるように外側筒を圧縮などすると内側筒のバネの働きが阻害され密着力低下を生じ通電時のロスが増加することになりかねない。更に、ピン２２とソケットの接触子２６の接続が幾つかの点に限られ、また、接触点から外側筒２７迄の板長が長いため、充分な効果があがらないという問題点があった。
【特許文献１】実公昭５５−２２６８９
【特許文献２】実公平２−１８２２
【特許文献３】特許２８３８１７３
【特許文献４】実公昭５６−５２５３
【特許文献５】実公昭６０−５５１６
【特許文献６】実公昭５８−２７４９３
【特許文献７】実公昭５９−４３６５２
【特許文献８】特許２８７６１４６
【０００４】
【発明が解決しようとする課題】
この発明はピンとソケットを用いた電線用コネクタに関し、上記既存技術の問題点を解決して使用電流が大きい場合でもロスが少なく、長期にわたり信頼性を維持できるソケットの構造を創造することを課題とする。
【０００５】
【課題解決のための手段および作用】
課題解決の為に、ソケット構造としては既に使われている内側筒と外側筒を組み合わせたタイプのものを改良して問題点を取り除いた。即ち、内側筒にバネ性の金属薄板を用い、これにコの字状に複数の切り目を設け、その切り目部分を曲げて板面から斜めに立ち上げた複数のウロコ状と成し、このウロコ状部分を外に向けて筒状とした形状のものを採用した。外側筒には良導電性の材料を用い、内側筒部材が略納まるようにした。内側筒はピンに対しやや小さめに作り、ピン挿入によって拡がって、該ウロコ状部分を外側筒内壁に押し付けるよう作用する。この力は反作用として内側筒変形の回復力と併せてピンを締めつける働きもしている、接触部の電気抵抗は接触圧が高い程低減されるため、導電効果を上げるように働く。ピン表面とソケット表面は平滑面どうしであり、接触面積を大きく取り易いこと、且つ抜き挿しを繰り返してもピンに傷が付き難いことからウロコ状部分は外向きにして内側をできるだけ平滑にする必要がある。接触面の凹凸を減らすためには銀など柔質良導電材のメッキを施すのが良い。ウロコ状部分のバネ性は連結の際の緩衝材としてバランスを保ち、通電効果を維持するのに役立っている。また、ピンから受けた電流はウロコ状部分を通して直ぐ外の外側筒に確実に流れるので、電気抵抗を小さく保つ事ができる。これらの結果、コネクタ部分でのロスを小さくできるので、大きな電流を流しても発熱などによるトラブルが生じ難い。なお、このソケットは構造上アークが発生し難いが、万一接合の瞬間にピン先端との間にアークが生じても使用時の通電部分に損傷を与えることが無い。
【０００６】
該ウロコ状部分はピン挿入によって外側筒内壁に接触するようにしてもよいし、ピン挿入前に既に接触していてもよい。
【０００７】
内側筒の延長として筒の軸方向に延びた細長い部分を設けたものは、圧着によって電線接続を行うのに適している。この舌状部分の在る側の端から外皮を剥いた電線端末を挿入し、外側から圧縮し、永久変形させて一体に接合するときは、内側筒部の位置を安定させ、ピン抜き取りの際内側筒部が共に抜けるというトラブルを避けることができ、また電気的接続の信頼性を高めることができる。
【０００８】
感電事故を避けるために、このソケットの通電部は通常、嵌合部を残し、他の
外面を電気絶縁材料で覆った状態で使用される。絶縁材料としては、例えばポリエチレン、ポリプロピレン、ポリ塩化ビニルなど熱可塑性樹脂が加工し易いインサート加工するか、或いは別に成形したものを装着してもよい。
【０００９】
【発明の実施の形態】
【実施例】
図１に本発明の実施の１例を示す。本発明によるソケットとこれと対になるピンの例で、圧着によって電線を繋ぎ、嵌合部以外を絶縁体で覆っている。そのうち図１ａはソケットにピンを差し込んだ通電状態の製品の１部断面図を、図１ｂはさし込み前のソケット側の１部断面図を、図１Ｃはさし込み前のピン側の１部断面図を現している。図に於いて、１はソケットの通電部、２はピンの通電部、３は電線、４は絶縁体、５は圧着部をあらわしている。
【００１０】
図２はソケット通電部の正面図と側面の一部断面を示す。ソケット通電部は内側筒１１と外側筒１２とから成っていて、内側筒１１はバネ性のある金属板１３（例えばリン青銅、ベリリウム銅等）で作られている。外側筒は、良導電材で作られている。図３に内側筒１１の、筒にする前の平らな状態（展開図）の平面図と側面断面図を示す。金属板１３には、複数のコの字型の切り目を設け、その切り目を図のように曲げて板面から斜めに立ち上げ、ウロコ状１４にしてある。ウロコ先端は適当な円味を持たせ、或いは先端を曲げるなどして使用時外側筒内壁への接触面積を大きく取れるようにするのが良い。図４はこのウロコ状部分を外に向けて筒状に加工した内側筒１１の正面図、側面図、平面図の例で、この筒の内径は接続するピン２の外径より少し小さく作られている。実施例ではピン外径が３ｍｍ、内側筒１１の内径が２．８ｍｍ、外径が３．４ｍｍ、外側筒は内径が４．５ｍｍの圧着端子を使用した。ウロコ長は約１．２ｍｍとしたが、もっと角度が取れるよう短くしても良い、あるいは先端を少し曲げて外側筒との接触安定を図ってもよい。
【００１１】
使用に際して、ピン２をソケット１の内側筒（ピン挿入側１６）にさし込むと、内側筒が拡径されてウロコ状１４が外側筒１２の内壁を圧し、その反力でピン２を締めつけるように作用する。ウロコ状１４のバネ性はこの際の緩衝材としてバランスを保ち通電効果を維持するのに役立っている。
【００１２】
この例では内側筒から延長して軸方向に延びた舌状の細長い部分１５が設けてある。外側筒１２は良導電材で作るが、この例では純銅に錫メッキを施した圧着端子を用いた。図１はこのタイプのソケットを使い、電線３に圧着した例を示している。
【００１３】
接続のための端末形状は上記に限らず、ビス止め穴１６を設けたものや、取り付けボルト１１６付きなどでもよい。図５にそれらの例を外側筒のみ断面とした図で示している。なお、図には絶縁体を省略してある。
【発明の効果】
以上に説明したように、このソケットは使用時の電気抵抗が小さく、従ってコネクタ部分での電力ロスが少ないので、大きな電流を流しても発熱などによるトラブルが生じ難い。また、バネ圧接の効果で、接続部が安定して固定されているため、長期にわたり信頼性を維持することができる
【図面の簡単な説明】
【図１】ａ　本発明の１例であって、使用状態を示す。
ｂ　ソケット部分を示す
ｃ　ピン部分を示す
【図２】本発明によるソケットの通電部部品図を示す
【図３】上記ソケットの内側筒の展開図を示す
【図４】上記ソケットの内側筒を示す
【図５】ａ　本発明によるソケットの他の例を示す
ｂ　本発明によるソケットの更に他の例を示す
【図６】既存ソケットの例を示す
【図７】既存ソケットの他の例を示す
【図８】既存ソケットの更に他の例を示す
【図９】既存ソケットの更に他の例を示す
【符号の説明】
１　ソケット通電部分
２　ピン通電部分
３　電線
４　絶縁体
５　圧着部分
１１　内側筒
１２　外側筒
１３　金属板（ソケット板材料）
１４　ウロコ状
１５　内側筒から延長して軸方向に延びた舌状の細長い部分
１６　ネジ穴
１７　取り付けボルト
２１　ソケット
２２　ピン
２３　電線
２４　ソケット嵌合部
２５　内側筒
２６　ソケット接合子
２７　外側筒
２８　平型プラグ
【図１】
2004146196.tif 000003
【図２】
2004146196.tif 000004
【図３】
2004146196.tif 000005
【図４】
2004146196.tif 000006
【図５】
2004146196.tif 000007
【図６】
2004146196.tif 000008
【図７】
2004146196.tif 000009
【図８】
2004146196.tif 000010
【図９】
2004146196.tif 000011
【手続補正書】
【提出日】平成14年11月14日(2002.11.14)
【手続補正１】
【補正対象書類名】明細書
【補正対象項目名】全文
【補正方法】変更
【補正の内容】
【特許請求の範囲】
【請求項１】電線接続のために使われる先端棒状のピンとそれを挿入する筒状のソケットによって構成される、いわゆるプラグインコネクタの、特にソケットの通電部が、金属薄板で作られた内側筒および通電性の良い材料を使った外側筒とで構成され、該内側筒はバネ性の金属薄板に、コの字状またはそれに近い形状の複数の切り目を設け、その切り目部分を曲げて板面から斜めに立ち上げてウロコ状と成し、このウロコ状部分を外に向けて筒状に加工したもの、或いはそれと同等の形態のものを外側筒内にに挿入したもので、使用の際ピンを挿入した状態でそのウロコ状部分が外側筒内壁に圧接するようにしたことを特徴とするソケットの通電部を含む製品または部品。
【請求項２】請求項１に於いて、内側筒の胴の一部を延長して筒の軸方向に延びた舌状の細長い部分を設け、内側筒と共に外側筒に納まるよう挿入され、外側筒には塑性変形仕易い良導電性材料を用いたことを特徴とするソケットの通電部を含む製品または部品。
【請求項３】請求項１から請求項２の通電部材の、嵌合部を除いた部分を電気絶縁材料で覆ったことを特徴とする製品または部品。
【発明の詳細な説明】
【０００１】
【産業上の利用分野】
この発明は改良されたソケット構造を有する電気接続用コネクタに関する。
【０００２】
【従来の技術】
従来技術としてコネクタに関するものは極めて多いが、金属製の板バネを利用した把持構造を持ったソケットに棒状のピンを圧入するいわゆるプラグイン接続のものが広く使われている。ソケットに金属板バネ２４を使い、平型のプラグ２８を使った構造のものとして、図７のようなタイプのものがあり、実公昭５５−２２６８９など多くの応用例がある。図８のように湾曲した板バネ２４でピン２２を抑えるタイプのものは例えば、実公平２−１８２２や特２８３８１７３などがある。電子機器に使われる多ピン式コネクタもこの形式のものが多い。また、通電量が多い場合には電気を通すための充分な接触面積を確保するためにピン２２と筒状のソケット２１を組み合わせた形式のものがあり、ごく一般的な形状を図６に示す。このタイプでは、応用改良した例が実公昭５６−５２５３や実公昭６０−５５１６に紹介されている。この形式のソケットは接触面積を多く取ることができるが、バネ性を重視すると薄く作る必要があるため、電気を通すための充分な断面積を確保するのが難しい。断面積を確保するために板厚を大きく取ると、剛性が高くなってバネの特性が使えず適切な使用が出来なくなる。例えば図６の形状のソケットを想定、φ３のプラグを用いて８ｓｑ．の電線に適用した場合、リン青銅では厚さ０．３ｍｍ迄が適当であって、それ以上では硬過ぎてバネとしての働きが強すぎ、且つ当発明に用いるウロコ状のような加工が困難である。
しかし、厚さ０．３ｍｍでは通電のための断面積が２ミリ平方メートル余しか
なく、材料の導電率の違いを考慮する迄もなく容量が不足している。尚、適切な板厚は、使われる部品の大きさによって決まるので一定の厚さに限られるものではない。また、この端末と電線との接続方法として圧着加工する場合には、金属板の厚さが薄く且つ材質が硬いために、電線端末との安定した接触が得難い問題がある。圧着加工は作業性が良く、熱にも強いが、信頼性を確保するためには厚肉の純銅を使い塑性変形する性質を使って圧着する圧着端子のような固定方法が好ましい。
【０００３】
金属板の厚さの問題を補うため、バネ弾性を持つ金属板を巻いた筒（内側筒２６ということにする）を厚肉の金属材料で作った筒（外側筒２７ということにする）の内に嵌め、内側筒から内側に出した接触子２５から外側筒に電気を渡すことで、通電距離を短くして電力ロスを減らす方法が実公昭５８−２７４９３および実公昭５９−４３６５２に紹介されている。しかし、この案では接触片の向きが内側ゆえ、狭く接触面積の取り難いピンとの接触を更に狭めて居り、電気抵抗を減らす効果が得難いので、圧接力を得るため外側筒を更にバネ材で締めつける構造を取っており、複雑で実際的でない。或いは、図９に示す特許番号２８７６１４６に紹介されているものは複雑ではないが、内側筒２５と外側筒２７の接触を確実にする手段を持たず、或いは、これを意識して強く接触させるように外側筒を圧縮などすると内側筒のバネの働きが阻害され密着力低下を生じ通電時のロスが増加することになりかねない。更に、ピン２２とソケットの接触子２６の接続が幾つかの点に限られ、また、接触点から外側筒２７迄の板長が長いため、充分な効果があがらないという問題点があった。
【特許文献１】実公昭５５−２２６８９
【特許文献２】実公平２−１８２２
【特許文献３】特許２８３８１７３
【特許文献４】実公昭５６−５２５３
【特許文献５】実公昭６０−５５１６
【特許文献６】実公昭５８−２７４９３
【特許文献７】実公昭５９−４３６５２
【特許文献８】特許２８７６１４６
【０００４】
【発明が解決しようとする課題】
この発明はピンとソケットを用いた電線用コネクタに関し、上記既存技術の問題点を解決して使用電流が大きい場合でもロスが少なく、長期にわたり信頼性を維持できるソケットの構造を創造することを課題とする。
【０００５】
【課題解決のための手段および作用】
課題解決の為に、ソケット構造としては既に使われている内側筒と外側筒を組み合わせたタイプのものを改良して問題点を取り除いた。即ち、内側筒にバネ性の金属薄板を用い、これにコの字状に複数の切り目を設け、その切り目部分を曲げて板面から斜めに立ち上げた複数のウロコ状と成し、このウロコ状部分を外に向けて筒状とした形状のものを採用した。外側筒には良導電性の材料を用い、内側筒部材が略納まるようにした。内側筒はピンに対し内径をやや小さめに作り、ピン挿入によって拡がって、該ウロコ状部分を外側筒内壁に押し付けるよう作用する。この力は反作用として内側筒変形の回復力と併せてピンを締めつける働きもしている、接触部の電気抵抗は接触圧が高い程低減されるため、導電効果を上げるように働く。ピン表面とソケット表面は平滑面どうしであり、接触面積を大きく取り易いこと、且つ抜き挿しを繰り返してもピンに傷が付き難いことからウロコ状部分は外向きにして内側をできるだけ平滑にする必要がある。接触面の凹凸を減らすためには銀など柔質良導電材のメッキを施すのが良い。ウロコ状部分のバネ性は連結の際の緩衝材としてバランスを保ち、通電効果を維持するのに役立っている。また、ピンから受けた電流はウロコ状部分を通して直ぐ外の外側筒に確実に流れるので、電気抵抗を小さく保つ事ができる。これらの結果、コネクタ部分でのロスを小さくできるので、大きな電流を流しても発熱などによるトラブルが生じ難い。なお、このソケットは構造上アークが発生し難いが、万一接合の瞬間にピン先端との間にアークが生じても使用時の通電部分に損傷を与えることが無い。
【０００６】
該ウロコ状部分はピン挿入によって外側筒内壁に接触するようにしてもよいし、ピン挿入前に既に接触していてもよい。
【０００７】
内側筒の延長として筒の軸方向に延びた細長い部分を設けたものは、圧着によって電線接続を行うのに適している。この舌状部分の在る側の端から外皮を剥いた電線端末を挿入し、外側から圧縮し、永久変形させて一体に接合するときは、内側筒部の位置を安定させ、ピン抜き取りの際内側筒部が共に抜けるというトラブルを避けることができ、また電気的接続の信頼性を高めることができる。
【０００８】
感電事故を避けるために、このソケットの通電部は通常、嵌合部を残し、他の
外面を電気絶縁材料で覆った状態で使用される。絶縁材料としては、例えばポリエチレン、ポリプロピレン、ポリ塩化ビニルなど熱可塑性樹脂が加工し易いインサート加工するか、或いは別に成形したものを装着してもよい。
【０００９】
【発明の実施の形態】
【実施例】
図１に本発明の実施の１例を示す。本発明によるソケットとこれと対になるピンの例で、圧着によって電線を繋ぎ、嵌合部以外を絶縁体で覆っている。そのうち図１ａはソケットにピンを差し込んだ通電状態の製品の１部断面図を、図１ｂはさし込み前のソケット側の１部断面図を、図１Ｃはさし込み前のピン側の１部断面図を現している。図に於いて、１はソケットの通電部、２はピンの通電部、３は電線、４は絶縁体、５は圧着部をあらわしている。
【００１０】
図２はソケット通電部の正面図と側面の一部断面を示す。ソケット通電部は内側筒１１と外側筒１２とから成っていて、内側筒１１はバネ性のある金属板１３（例えばリン青銅、ベリリウム銅等）で作られている。外側筒は、良導電材で作られている。図３に内側筒１１の、筒にする前の平らな状態（展開図）の平面図と側面断面図を示す。金属板１３には、複数のコの字型の切り目を設け、その切り目を図のように曲げて板面から斜めに立ち上げ、ウロコ状１４にしてある。ウロコ先端は適当な円味を持たせ、或いは先端を曲げるなどして使用時外側筒内壁への接触面積を大きく取れるようにするのが良い。図４はこのウロコ状部分を外に向けて筒状に加工した内側筒１１の正面図、側面図、平面図の例で、この筒の内径は接続するピン２の外径より少し小さく作られている。実施例ではピン外径が３ｍｍ、内側筒１１の内径が２．８ｍｍ、外径が３．４ｍｍ、外側筒は内径が４．５ｍｍの圧着端子を使用した。ウロコ長は約１．２ｍｍとしたが、もっと角度が取れるよう短くしても良い、あるいは先端を少し曲げて外側筒との接触安定を図ってもよい。
【００１１】
使用に際して、ピン２をソケット１の内側筒（ピン挿入側１６）にさし込むと、内側筒が拡径されてウロコ状１４が外側筒１２の内壁を圧し、その反力でピン２を締めつけるように作用する。ウロコ状１４のバネ性はこの際の緩衝材としてバランスを保ち通電効果を維持するのに役立っている。
【００１２】
この例では内側筒から延長して軸方向に延びた舌状の細長い部分１５が設けてある。外側筒１２は良導電材で作るが、この例では純銅に錫メッキを施した圧着端子を用いた。図１はこのタイプのソケットを使い、電線３に圧着した例を示している。
【００１３】
接続のための端末形状は上記に限らず、ビス止め穴１６を設けたものや、取り付けボルト１１６付きなどでもよい。図５にそれらの例を外側筒のみを断面図で示している。なお、図には絶縁体を省略してある。
【発明の効果】
以上に説明したように、このソケットは使用時の電気抵抗が小さく、従ってコネクタ部分での電力ロスが少ないので、大きな電流を流しても発熱などによるトラブルが生じ難い。また、バネ圧接の効果で、接続部が安定して固定されているため、長期にわたり信頼性を維持することができる
【図面の簡単な説明】
【図１】ａ　本発明の１例であって、製品の使用状態を示す。
ｂ　そのソケット側部分を示す
ｃ　同じくピン側部分を示す
【図２】本発明によるソケットの通電部部品図を示す
【図３】上記ソケットの内側筒の展開図を示す
【図４】上記ソケットの内側筒を示す
【図５】ａ　本発明によるソケットの他の例を示す
ｂ　本発明によるソケットの更に他の例を示す
【図６】既存ソケットの例を示す
【図７】既存ソケットの他の例を示す
【図８】既存ソケットの更に他の例を示す
【図９】既存ソケットの更に他の例を示す
【符号の説明】
１　ソケット通電部分
２　ピン通電部分
３　電線
４　絶縁体
５　圧着部分
１１　内側筒
１２　外側筒
１３　金属板（ソケット板材料）
１４　ウロコ状
１５　内側筒から延長して軸方向に延びた舌状の細長い部分
１６　ネジ穴
１７　取り付けボルト
２１　ソケット
２２　ピン
２３　電線
２４　ソケット嵌合部
２５　内側筒
２６　ソケット接合子
２７　外側筒
２８　平型プラグ